(57)【特許請求の範囲】
【請求項１】
底部と、側壁部および上蓋よりなる散水栓ボックスと、前記散水栓ボックスの内部に固定設置されている散水栓と、水道管などの配管と前記散水栓とを連通するための連通部と、散水栓ボックスに底板を取り付けたときに底板に設けた切欠と散水栓ボックスに設けた切欠によって形成される、前記連通部が挿通可能な連通部貫通孔と、前記底板および前記上蓋間に散水栓接続穴を介して前記散水栓を固定設置するための設置板部とを備え、前記連通部は、前記散水栓にねじ接続される下流部分を有するエルボ部材と、このエルボ部材の上流部分に下流端が接続され上流端が前記配管に接続された状態で前記連通部貫通孔を貫通する接続パイプとよりなる一方、前記設置板部は、前記散水栓接続穴の直下にこの散水栓接続穴に連通する形で嵌め込み穴を有する筒部を備えるとともに、前記筒部の前記嵌め込み穴は、前記エルボ部材の前記下流部分が嵌め込み可能な大きさに形成されており、更に、前記筒部は、前記散水栓を前記エルボ部材にねじ込むときに前記エルボ部材が前記散水栓と共回りするのを防止する切欠部を周面下部に有することことを特徴とする散水栓装置。
【請求項２】
前記散水栓ボックスは、上方開口および下方開口を有し、前記上蓋は、前記上方開口を覆うよう前記散水栓ボックスに着脱自在に装着される一方、前記散水栓ボックスの前記底部は、前記下方開口を覆うよう散水栓ボックスに着脱自在に装着される底板よりなり、また、前記設置板部は、前記散水栓ボックスの対向する前記側壁部の側にそれぞれ排水孔を有するとともに、散水栓設置位置から前記各排水孔に向けて下方に傾斜する傾斜面を有し、また、前記設置板部は、前記散水栓接続穴の周縁に散水栓支持部を有し、前記散水栓は、前記散水栓支持部に当接する鍔を有し、更に、前記筒部の前記嵌め込み穴に前記エルボ部材の前記下流部分が嵌め込まれた状態で、前記筒部の前記切欠部に前記エルボ部材の前記上流部分が位置することによって、前記散水栓を前記エルボ部材にねじ込むときに前記エルボ部材が前記散水栓と共回りするのを防止するように構成されている請求項１に記載の散水栓装置。
【発明の詳細な説明】
【０００１】
【発明の属する技術分野】
この発明は、散水栓装置に関する。
【０００２】
【従来の技術および発明が解決しようとする課題】
従来の散水栓装置の一つとして、例えば庭に設けた掘削穴に引き込まれた水道管などの配管の接続端に散水栓を取り付け、その近辺に玉砂利を敷き、ヒンジにより開閉可能な上蓋を有するとともに底板の無い散水栓ボックスを、散水栓を覆う状態で掘削穴に嵌め込んでなるものがあるけれども、散水栓が傾かずに縦置き状態で取り付けられるよう、かつ、散水栓を散水栓ボックス内におさめることができるよう散水栓の取り付け高さ（立ち上がり）を設定する等の取り付け作業に施工者の熟練が必要であった。また、散水栓を配管の接続端に取り付けているだけであるので不安定で散水栓にグラツキが生じるおそれがあった。
【０００３】
また、前記グラツキを無くすために、散水栓を配管の接続端に取り付けるための取付け孔が形成された底板部を有する散水栓ボックスも提案されている（特開平９−２８２１８号公報参照）けれども、現場で散水栓を取付け孔にねじ込んで配管の接続端に散水栓を接続する必要があり、接続作業に時間がかかるとともに、面倒であった。
【０００４】
この発明はこのような実情を考慮に入れてなされたものであって、散水栓取り付けに伴う種々の作業を無くして熟練者でなくても容易に、かつ、短時間で設置できる散水栓装置を提供することを目的としている。
【０００５】
【課題を解決するための手段】
上記目的を達成するために、この発明の散水栓装置は、底部と、側壁部および上蓋よりなる散水栓ボックスと、前記散水栓ボックスの内部に固定設置されている散水栓と、水道管などの配管と前記散水栓とを連通するための連通部と、散水栓ボックスに底板を取り付けたときに底板に設けた切欠と散水栓ボックスに設けた切欠によって形成される、前記連通部が挿通可能な連通部貫通孔と、前記底板および前記上蓋間に散水栓接続穴を介して前記散水栓を固定設置するための設置板部とを備え、前記連通部は、前記散水栓にねじ接続される下流部分を有するエルボ部材と、このエルボ部材の上流部分に下流端が接続され上流端が前記配管に接続された状態で前記連通部貫通孔を貫通する接続パイプとよりなる一方、前記設置板部は、前記散水栓接続穴の直下にこの散水栓接続穴に連通する形で嵌め込み穴を有する筒部を備えるとともに、前記筒部の前記嵌め込み穴は、前記エルボ部材の前記下流部分が嵌め込み可能な大きさに形成されており、更に、前記筒部は、前記散水栓を前記エルボ部材にねじ込むときに前記エルボ部材が前記散水栓と共回りするのを防止する切欠部を周面下部に有する。
【０００６】
【０００７】
【発明の実施の形態】
図１〜図５は、水道管などの配管と散水栓とを連通するための連通部を設け、この連通部と前記散水栓とが工場などの製作場所で予め散水栓ボックスに取り付けられているこの発明の一実施形態を示す。
【０００８】
図１は、上蓋を有する散水栓装置の平面図を示し、図２は、そのａ−ａ縦断面で、上蓋の長手方向に沿った散水栓装置の中央部分を断面してある。図３は、散水栓装置の分解斜視図を示し、散水栓装置は、前記散水栓と連通部が散水栓ボックスの内部に固定設置された状態で前記製作場所から現場に搬送され、この現場において散水栓装置は前記連通部および継手を介して前記配管に接続される。図４は、散水栓ボックス内における、散水栓と、これを固定設置するための設置板部と、この設置板部に対する前記連通部の取り付け状態を示し、図５は、前記上蓋を外した散水栓ボックス内を示し、排水孔を有する前記設置板部に設けた散水栓の支持部に散水栓の鍔が当接している。
【０００９】
図１〜図５において、１は、箱状で、平面視矩形の上方開口２および平面視矩形の下方開口３を有する散水栓ボックスである。散水栓ボックス１は、四つの側壁部Ｂ，Ｃ，Ｄ，Ｅを有する。一対の側壁部Ｂ，Ｃは、散水栓ボックス１の長手方向（両矢印Ｘで示す方向）に沿って左右に対向する状態で位置する。また、一対の側壁部Ｄ，Ｅは、散水栓ボックス１の短手方向（両矢印Ｙで示す方向）に沿って左右に対向する状態で位置する。４は、上蓋で、前記上方開口２を覆うよう散水栓ボックス１に着脱自在に装着されており、散水栓装置Ａの上部を構成する。上蓋４は、上方開口２の内周縁に沿って形成されている載置部２ａに載置される。５は、下方開口３を覆うよう散水栓ボックス１に着脱自在に装着されている底板で、散水栓装置Ａの底部を構成する。そして、散水栓ボックス１は、底板５および上蓋４間に設置板部１５を有する。
【００１０】
この発明では、現場において散水栓１２を散水栓ボックスＡの設置板部１５に設置する手間をなくすために、散水栓１２は工場などの製作場所で設置板部１５に予め固定設置されている。すなわち、設置板部１５上に立設された状態で散水栓１２が内部に収容されている散水栓ボックスＡを現場に設けた掘削穴に設置できるよう構成されている。また、この発明では、現場において水道管などの配管２５と散水栓１２とを接続するときの手間を軽減するために、散水栓１２には連通部２６が前記製作場所で予め接続されている。
【００１１】
前記底板５は、中央に排水孔６を有し、下方開口３の形状に対応する平面視矩形の平板部７と、この平板部７の周縁から立ち上がる立上り板部８とよりなる。そして、底板５の縦、横の幅および高さは底板５を散水栓ボックス１に装着した後は底板５が散水栓ボックス１から容易に外れることがない寸法に設定されている。更に、立上り板部８は、底板５の短手方向に沿って左右に位置する一対の対向部分８ａ，８ｂの中央にそれぞれ、上部側から切欠いた半円形で同形の切欠９ａ，９ｂを有する。一方、散水栓ボックス１は、散水栓ボックス１に底板５を取り付けたときに後述する接続パイプ３３が挿通可能な連通部貫通孔２８が形成されるよう前記切欠９ａに対応する側壁部Ｄの下辺部中央に切欠２９ａを有する。また、散水栓ボックス１は、前記切欠９ｂに対応する側壁部Ｅの下辺部中央にも接続パイプ３３が挿通可能な大きさの切欠２９ｂを有する。
【００１２】
また、前記上蓋４は、対向する一対の短辺の中央にそれぞれ、散水栓ボックス１に上蓋４を取り付けたり、取り外したりするときに利用される把持用切欠１０，１１を有する。また、把持用切欠１０，１１は、散水栓ボックス１に上蓋４をした状態で散水栓１２の吐水管部１３に接続されるホース（図示せず）が挿通可能な大きさに設定されている。例えば、図２に示すように、把持用切欠１０が吐水管部１３に対向するよう上蓋４がされた場合、ホースは把持用切欠１０を通って散水栓装置Ａ外にセットされる。
【００１３】
次に、前記設置板部１５について詳述する。
【００１４】
この実施形態では、散水栓１２の操作ハンドル１２ａに固着された弁棒１２ｃの軸線Ｒが設置板部１５の中心ＰよりＸ方向に沿って長さＱだけずれた点Ｐ’を通るよう、散水栓１２は設置板部１５の散水栓設置位置に固定設置されている。また、設置板部１５は、前記一対の側壁部ＢおよびＣの側にそれぞれ排水孔１６および１７を有するとともに、設置板部１５には、前記散水栓設置位置から前記各排水孔１６，１７に向けて下方に傾斜する水勾配を持った傾斜面ｍ，ｎが形成されている。また、前記設置板部１５は、散水栓接続穴２２を前記散水栓設置位置に有するとともに、前記散水栓接続穴２２の周縁に散水栓支持部２３を有する。
【００１５】
一方、前記散水栓１２は、前記散水栓支持部２３に当接する鍔２４を有する。この鍔２４は、散水栓本体１２ｄの下部に一体に形成されており、この鍔２４の直下には外ねじｒ’が形成されている。
【００１６】
以下、前記連通部２６について説明する。
【００１７】
連通部２６は、工場などの製作場所で散水栓１２にねじ接続される下流部分３０を有するエルボ部材３２と、このエルボ部材３２の上流部分３１に下流端３３ａが接続される接続パイプ３３とよりなる。この接続パイプ３３は、現場での継手３４を用いた配管２５との接続にあたり、側壁部Ｄからの突出長さＬを切断により変更できるよう切断容易で耐久性に優れた例えば塩化ビニルで形成されている。そして、前記接続パイプ３３は、上流端３３ｂが継手３４を介して配管２５に接続された状態で連通部貫通孔２８を貫通する。
【００１８】
前記エルボ部材３２は塩化ビニル製で、下流部分３０は二重構造になっている。すなわち、前記外ねじｒ’に螺合する内ねじｒを有する金属製筒体３６が下流部分３０の内側にインサート成形により一体に形成されている。
【００１９】
また、前記継手３４は、円筒状で、接続パイプ３３の上流端３３ｂが嵌め込み可能な大きさの第１穴部４０と、配管２５の接続端２５ａが嵌め込み可能な大きさの第２穴部４１と、両穴部４０，４１より小径で両穴部４０，４１を連通する第３穴部４２とを有する。そして、上流端３３ｂは接着剤により第１穴部４０に装着される。また、接続端２５ａは接着剤により第２穴部４１に装着される。また、エルボ部材３２の上流部分３１に接続パイプ３３の下流端３３ａが嵌め込まれ接着剤により結合される。
【００２０】
次に、連通部２６と散水栓１２との接続機構について説明する。
【００２１】
前記エルボ部材３２は、下流部分３０の出口に外向きフランジ４３を有する一方、前記設置板部１５は、散水栓接続穴２２の直下にこの散水栓接続穴２２に連通する形で嵌め込み穴４５を有する筒部４６を備えている。この筒部４６は、設置板部１５の底面部分から下方に突出した状態で一体に形成されている。前記嵌め込み穴４５は、外向きフランジ４３の側からエルボ部材３２の下流部分３０が嵌め込み可能な大きさに形成されている。前記筒部４６は、エルボ部材３２の嵌め込み後において外向きフランジ４３を係止可能に支持する爪４８を内周面上部に有し、また、筒部４６は、工場などの製作場所で散水栓１２をエルボ部材３２にねじ込むときにエルボ部材３２が散水栓１２と共回りするのを防止する切欠部４９ａ，４９ｂを周面下部に有する。前記切欠部４９ａと切欠部４９ｂは、筒部４６の対向位置に設けられている。
なお、上蓋４を紛失しないために、上蓋４の下面に設けたフック部材６１と側壁部Ｄ内面の上部分に設けたフック部材６２間にチェーン６３が取り付けられている。
【００２２】
而して、例えば庭に設けた掘削穴に引き込まれた配管２５の接続端２５ａに、継手３４および連通部２６を介して散水栓１２を取り付け、その近辺に玉砂利を敷き、上蓋４と底板５を有する散水栓ボックス１よりなる散水栓装置Ａを掘削穴に嵌め込むにあたり、散水栓ボックス１の内部に予め散水栓１２を固定設置してあるので、従来のように、現場で散水栓の取り付け高さ（立ち上がり）を設定する等の取り付け作業を不要にできる。また、散水栓１２を設置板部１５に固定設置してあるので、従来のように、散水栓を配管の接続端に取り付けているだけであるので不安定で散水栓にグラツキが生じるというおそれはない。
【００２３】
また、散水栓ボックス１の内部に予め散水栓１２を固定設置してあるとともに、散水栓１２には前記連通部２６が既設されているので、状来のように、現場で散水栓を取付け孔にねじ込んで配管の接続端に散水栓を接続する必要がなくなる。
【００２４】
なお、この実施形態では、散水栓ボックス１の側壁部Ｄから連通部２６を突出させたものを示したが、散水栓ボックス１の側壁部Ｅから連通部２６を突出させることは可能である。
【００２５】
また、上記各実施形態では、散水栓ボックス１の側壁部Ｄ，Ｅから連通部２６を突出させたものを示したが、この発明は、散水栓ボックス１の底板から連通部２６を突出させる構成を採用できる。
【００２６】
すなわち、この場合の散水栓装置Ａ’は、底部５、側壁部Ｂ，Ｃ，Ｄ，Ｅおよび上蓋４を備えた散水栓ボックス１と、現場で取り付けする手間をなくすために工場などの製作場所で前記散水栓ボックス１の内部に予め固定設置されている散水栓１２とを有し、更に、散水栓装置Ａ’の散水栓１２には、配管２５と散水栓１２とを連通するための連通部２６が既設されており、しかも、散水栓１２は、散水栓接続穴２２を介して設置板部１５に縦置き状態で設置されるとともに、散水栓ボックス１は、底板５に連通部貫通孔（図示せず）を有し、更に、連通部２６は、散水栓１２に下流端が接続され上流端が配管２５に接続された状態で前記連通部貫通孔を貫通する接続パイプよりなる。
【００２７】
【発明の効果】
以上説明したようにこの発明では、散水栓取り付けに伴う種々の作業を無くして熟練者でなくても容易に、かつ、短時間で設置できる散水栓装置を提供することができる効果がある。
【図面の簡単な説明】
【図１】  この発明の一実施形態を示す平面図である。
【図２】  図１におけるａ−ａ縦断面図である。
【図３】  上記実施形態を示す分解斜視図である。
【図４】  上記実施形態における散水栓ボックス内部の状態を示す図である。
【図５】  上記実施形態において上蓋を外したときの散水栓ボックス内部の状態を示す図である。
【符号の説明】
１…散水栓ボックス、４…上蓋、５…底部、９ａ，９ｂ、２９ａ，２９ｂ切欠、１２…散水栓、１５…設置板部、２２…散水栓接続穴、２５…配管、３０…下流部分、３２…エルボ部材、３３…連通部、４５…嵌め込み穴、４６…筒部、４９ａ，４９ｂ…切欠部、Ｂ，Ｃ，Ｄ，Ｅ…側壁部。
【図１】
0003895973.tif 000002
【図２】
0003895973.tif 000003
【図３】
0003895973.tif 000004
【図４】
0003895973.tif 000005
【図５】
0003895973.tif 000006